【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
第１のサブキャリア光信号を出力する第１の光信号送信部と、
第２のサブキャリア光信号を出力する第２の光信号送信部と、
前記第１のサブキャリア光信号と前記第２のサブキャリア光信号とを合波して第１の波長グループ光信号として出力する第１の合波部と、
前記第１の波長グループ光信号と、前記第１及び第２のサブキャリア光信号とは波長が異なる光信号を含む第２の波長グループ光信号とを合波して出力する第２の合波部と、
前記第１のサブキャリア光信号と前記第２のサブキャリア光信号とのパワー差と、前記第１の波長グループ光信号と前記第２の波長グループ光信号とのパワー差と、を調整する光パワー調整部と、を備える
光伝送装置。
【請求項２】
前記第２の波長グループ光信号は、第３のサブキャリア光信号と第４のサブキャリア光信号とを含む
請求項１に記載の光伝送装置。
【請求項３】
前記第３のサブキャリア光信号を出力する第３の光信号送信部と、
前記第４のサブキャリア光信号を出力する第４の光信号送信部と、
前記第３のサブキャリア光信号と前記第４のサブキャリア光信号とを合波して前記第２の波長グループ光信号として出力する第３の合波部と、を備える
請求項２に記載の光伝送装置。
【請求項４】
前記第２の波長グループ光信号は、他の光伝送装置から前記第２の合波部に入力される
請求項１乃至２のいずれか一項に記載の光伝送装置。
【請求項５】
前記光パワー調整部は、
前記第１のサブキャリア光信号のパワーを調整する第１の光減衰部と、
前記第２のサブキャリア光信号のパワーを調整する第２の光減衰部と、
前記第１の波長グループ光信号のパワーを調整する第３の光減衰部と、を含む
請求項１乃至４のいずれか一項に記載の光伝送装置。
【請求項６】
前記第１の合波部は、前記第１の光減衰部によりパワーが調整された前記第１のサブキャリア光信号と、前記第２の光減衰部によりパワーが調整された前記第２のサブキャリア光信号とを合波して出力する
請求項５に記載の光伝送装置。
【請求項７】
前記光パワー調整部は、サブキャリア光信号のパワーレベル目標値に基づき、前記第１のサブキャリア光信号と前記第２のサブキャリア光信号とのパワー差を調整する、
請求項１乃至６のいずれか一項に記載の光伝送装置。
【請求項８】
前記光パワー調整部は、波長グループ光信号のパワーレベル目標値に基づき、前記第１の波長グループ光信号と前記第２の波長グループ光信号とのパワー差を調整する、
請求項１乃至７のいずれか一項に記載の光伝送装置。
【請求項９】
前記第１のサブキャリア光信号のパワーと前記第２のサブキャリア光信号のパワーとをモニタする光パワーモニタ部をさらに備え、
前記光パワー調整部は、前記光パワーモニタ部のモニタ結果に基づき、前記第１のサブキャリア光信号と前記第２のサブキャリア光信号とのパワー差を調整する、
請求項１乃至８のいずれか一項に記載の光伝送装置。
【請求項１０】
前記光パワーモニタ部は、さらに前記第１の波長グループ光信号のパワーと前記第２の波長グループ光信号のパワーとをモニタし、
前記光パワー調整部は、前記光パワーモニタ部のモニタ結果に基づき、前記第１の波長グループ光信号と前記第２の波長グループ光信号とのパワー差を調整する、
請求項９に記載の光伝送装置。
【請求項１１】
前記第１の波長グループ光信号の出力先を切り替える光スイッチをさらに備える、
請求項１乃至１０のいずれか一項に記載の光伝送装置。
【請求項１２】
前記第１のサブキャリア光信号と前記第２のサブキャリア光信号とのいずれかの障害を検出する障害監視部をさらに備える、
請求項１乃至１１のいずれか一項に記載の光伝送装置。
【請求項１３】
前記光パワー調整部は、前記第１の波長グループ光信号と前記第２の波長グループ光信号とのパワー差を小さくするように調整する請求項１乃至１２のいずれか一項に記載の光伝送装置。
【請求項１４】
光伝送装置と、
前記光伝送装置を制御する制御装置と、を備え、
前記光伝送装置は、
第１のサブキャリア光信号を出力する第１の光信号送信部と、
第２のサブキャリア光信号を出力する第２の光信号送信部と、
前記第１のサブキャリア光信号と前記第２のサブキャリア光信号とを合波して第１の波長グループ光信号として出力する第１の合波部と、
前記第１の波長グループ光信号と、前記第１及び第２のサブキャリア光信号とは波長が異なる光信号を含む第２の波長グループ光信号とを合波して出力する第２の合波部と、
前記第１のサブキャリア光信号と前記第２のサブキャリア光信号とのパワー差と、前記第１の波長グループ光信号と前記第２の波長グループ光信号とのパワー差と、を調整する光パワー調整部と、を備える
光伝送システム。
【請求項１５】
前記第２の波長グループ光信号は、第３のサブキャリア光信号と第４のサブキャリア光信号とを含む
請求項１４に記載の光伝送システム。
【請求項１６】
前記第３のサブキャリア光信号を出力する第３の光信号送信部と、
前記第４のサブキャリア光信号を出力する第４の光信号送信部と、
前記第３のサブキャリア光信号と前記第４のサブキャリア光信号とを合波して前記第２の波長グループ光信号として出力する第３の合波部と、を備える
請求項１５に記載の光伝送システム。
【請求項１７】
前記第２の波長グループ光信号は、前記光伝送装置とは異なる光伝送装置から前記第２の合波部に入力される
請求項１４乃至１６のいずれか一項に記載の光伝送システム。
【請求項１８】
前記光パワー調整部は、
前記第１のサブキャリア光信号のパワーを調整する第１の光減衰部と、
前記第２のサブキャリア光信号のパワーを調整する第２の光減衰部と、
前記第１の波長グループ光信号のパワーを調整する第３の光減衰部と、を含む
請求項１４乃至１７のいずれか一項に記載の光伝送システム。
【請求項１９】
前記第１の合波部は、前記第１の光減衰部によりパワーが調整された前記第１のサブキャリア光信号と、前記第２の光減衰部によりパワーが調整された前記第２のサブキャリア光信号とを合波して出力する
請求項１８に記載の光伝送システム。
【請求項２０】
前記光パワー調整部は、サブキャリア光信号のパワーレベル目標値に基づき、前記第１のサブキャリア光信号と前記第２のサブキャリア光信号とのパワー差を調整する、
請求項１４乃至１９のいずれか一項に記載の光伝送システム。
【請求項２１】
前記光パワー調整部は、波長グループ光信号のパワーレベル目標値に基づき、前記第１の波長グループ光信号と前記第２の波長グループ光信号とのパワー差を調整する、
請求項１４乃至２０のいずれか一項に記載の光伝送システム。
【請求項２２】
前記第１のサブキャリア光信号のパワーと前記第２のサブキャリア光信号のパワーとをモニタする光パワーモニタ部をさらに備え、
前記光パワー調整部は、前記光パワーモニタ部のモニタ結果に基づき、前記第１のサブキャリア光信号と前記第２のサブキャリア光信号とのパワー差を調整する、
請求項１４乃至２１のいずれか一項に記載の光伝送システム。
【請求項２３】
前記光パワーモニタ部は、さらに前記第１の波長グループ光信号のパワーと前記第２の波長グループ光信号のパワーとをモニタし、
前記光パワー調整部は、前記光パワーモニタ部のモニタ結果に基づき、前記第１の波長グループ光信号と前記第２の波長グループ光信号とのパワー差を調整する、
請求項２２に記載の光伝送システム。
【請求項２４】
前記第１の波長グループ光信号の出力先を切り替える光スイッチをさらに備える、
請求項１４乃至２３のいずれか一項に記載の光伝送システム。
【請求項２５】
前記第１のサブキャリア光信号と前記第２のサブキャリア光信号とのいずれかの障害を検出する障害監視部をさらに備える、
請求項１４乃至２４のいずれか一項に記載の光伝送システム。
【請求項２６】
前記光パワー調整部は、前記第１の波長グループ光信号と前記第２の波長グループ光信号とのパワー差を小さくするように調整する請求項１４乃至２５のいずれか一項に記載の光伝送システム。
【請求項２７】
第１のサブキャリア光信号を出力し、
第２のサブキャリア光信号を出力し、
前記第１のサブキャリア光信号と前記第２のサブキャリア光信号とを合波して第１の波長グループ光信号として出力し、
前記第１の波長グループ光信号と、前記第１及び第２のサブキャリア光信号とは波長が異なる光信号を含む第２の波長グループ光信号とを合波して出力し、
前記第１のサブキャリア光信号と前記第２のサブキャリア光信号とのパワー差と、前記第１の波長グループ光信号と前記第２の波長グループ光信号とのパワー差と、を調整する
光通信方法。
【請求項２８】
前記第２の波長グループ光信号は、第３のサブキャリア光信号と第４のサブキャリア光信号とを含む
請求項２７に記載の光通信方法。
【請求項２９】
前記第３のサブキャリア光信号を出力し、
前記第４のサブキャリア光信号を出力し、
前記第３のサブキャリア光信号と前記第４のサブキャリア光信号とを合波して前記第２の波長グループ光信号として出力する
請求項２８に記載の光通信方法。
【請求項３０】
前記第２の波長グループ光信号は、他の光伝送装置から入力される
請求項２７乃至２９のいずれか一項に記載の光通信方法。
【請求項３１】
前記第１のサブキャリア光信号のパワーを調整し、
前記第２のサブキャリア光信号のパワーを調整し、
前記第１の波長グループ光信号のパワーを調整する
請求項２７乃至３０のいずれか一項に記載の光通信方法。
【請求項３２】
前記パワーが調整された第１のサブキャリア光信号と、前記パワーが調整された第２のサブキャリア光信号とを合波して出力する
請求項３１に記載の光通信方法。
【請求項３３】
ブキャリア光信号のパワーレベル目標値に基づき、前記第１のサブキャリア光信号と前記第２のサブキャリア光信号とのパワー差を調整する、
請求項２７乃至３２のいずれか一項に記載の光通信方法。
【請求項３４】
波長グループ光信号のパワーレベル目標値に基づき、前記第１の波長グループ光信号と前記第２の波長グループ光信号とのパワー差を調整する、
請求項２７乃至３３のいずれか一項に記載の光通信方法。
【請求項３５】
前記第１のサブキャリア光信号のパワーと前記第２のサブキャリア光信号のパワーとをモニタしてモニタ結果を出力し、
前記モニタ結果に基づき、前記第１のサブキャリア光信号と前記第２のサブキャリア光信号とのパワー差を調整する、
請求項２７乃至３４のいずれか一項に記載の光通信方法。
【請求項３６】
前記第１の波長グループ光信号のパワーと前記第２の波長グループ光信号のパワーとをモニタし、
前記モニタ結果に基づき、前記第１の波長グループ光信号と前記第２の波長グループ光信号とのパワー差を調整する、
請求項３５に記載の光通信方法。
【請求項３７】
前記第１の波長グループ光信号の出力先を切り替える
請求項２７乃至３６のいずれか一項に記載の光通信方法。
【請求項３８】
前記第１のサブキャリア光信号と前記第２のサブキャリア光信号とのいずれかの障害を検出する
請求項２７乃至３７のいずれか一項に記載の光通信方法。
【請求項３９】
前記第１の波長グループ光信号と前記第２の波長グループ光信号とのパワー差を小さくするように調整する請求項２７乃至３８のいずれか一項に記載の光通信方法。